(57)【要約】    【構成】香り時計１００は、複数の香源が収容されているカートリッジが装着された嗅覚ディスプレイ１０および噴射パターンに基づいて嗅覚ディスプレイ１０から香りを出力させる情報処理装置４などを備える。たとえば、ユーザは、起床するときに利用することを目的として、複数の香りが出力させるように噴射パターンおよび設定時刻を設定することが出来る。設定時刻に達すると、たとえば刺激性が小さい柑橘系の香りが低い濃度で出力され、徐々に清涼系の強い香りとなるように濃度が高くなる。    【効果】ユーザに合わせて香りの種類および濃度を調整しながら香りを出力することが出来る。たとえば、上記のように複数の香りを出力することで、ユーザに与えるストレスを抑えながら脳を覚醒させるという効果が期待できる。この場合、ユーザは、起きる準備時間を得ることが出来るため、快適に起床することが出来る。【選択図】図１
2019194601.tif 000002
【特許請求の範囲】
【請求項１】
複数のカートリッジ装着場所の各々へ、香源を含むカートリッジを装着し、各カートリッジ内の香源から香り成分を噴射させることによって複数の香りを出力する嗅覚ディスプレイ、
前記複数の香りのうち、１つまたは２つ以上の香りを同時に出力させる順番を示すパターンを記憶する記憶手段、および
設定時刻となったとき、前記パターンが示す順番で前記複数の香りのうち、１つまたは２つ以上の香りを同時に出力させるよう、前記嗅覚ディスプレイを制御する制御手段を備える、香り時計。
【請求項２】
前記パターンは、噴射させる香り成分の濃度を示す、請求項１記載の香り時計。
【請求項３】
前記パターンは、噴射させる香り成分の濃度の変化を示す、請求項２記載の香り時計。
【請求項４】
前記パターンは、１つまたは２つ以上の香りを連続的に出力する指示をさらに含む、請求項１ないし３のいずれかに記載の香り時計。
【請求項５】
前記パターンは、１つまたは２つ以上の香りを間欠的に出力する指示をさらに含む、請求項１ないし４のいずれかに記載の香り時計。
【請求項６】
前記嗅覚ディスプレイは、前記カートリッジに密着し、圧電素子で駆動する風力源を含み、
前記風力源は、前記嗅覚ディスプレイが前記制御手段によって制御されているときに駆動する、請求項１ないし５のいずれかに記載の香り時計。
【請求項７】
ユーザの入眠前状態を検出する検出手段をさらに備え、
前記制御手段は、前記検出手段がユーザの入眠前状態を検出したとき、前記パターンが示す順番で前記複数の香りのうち、１つまたは２つ以上の香りを同時に出力させるよう、前記嗅覚ディスプレイを制御する、請求項１ないし６のいずれかに記載の香り時計。
【発明の詳細な説明】
【技術分野】
【０００１】
この発明は、香り時計に関し、特にたとえば、決められた時間に香りを出力する、香り時計に関する。
【背景技術】
【０００２】
背景技術の一例が特許文献１に開示されている。この特許文献１では、タイマーが設定されている間は、蒸発促進部材の表面から香料が蒸発する。また、タイマーが切れると香料の放出が停止される。これにより、香料の使用時に一定時間だけ香料を放出することが出来る。
【先行技術文献】
【特許文献】
【０００３】
【特許文献１】特開平７−５９８３８号公報[A61L 9/02, A61L 9/12, B65D 83/00, B65D 85/00]
【発明の概要】
【発明が解決しようとする課題】
【０００４】
ところが、タイマーが切れて香料の放出が停止されたとしても、蒸発した香料は空気中に残るため、香料の放出が停止された後も、空間には香料の香りが残ることになる。そのため、短時間のうちに２種類の香料を放出するようにタイマーが設定された場合、２種類の香料が同じ空間内で混じってしまい、香りによる効果を適切に得られないことが想定される。
【０００５】
それゆえに、この発明の主たる目的は、新規な、香り時計を提供することである。
【０００６】
この発明の他の目的は、ユーザに合わせて香りの種類を調整しながら香りを出力することが出来る、香り時計を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、複数のカートリッジ装着場所の各々へ、香源を含むカートリッジを装着し、各カートリッジ内の香源から香り成分を噴射させることによって複数の香りを出力する嗅覚ディスプレイ、複数の香りのうち、１つまたは２つ以上の香りを同時に出力させる順番を示すパターンを記憶する記憶手段、および設定時刻となったとき、パターンが示す順番で複数の香りのうち、１つまたは２つ以上の香りを同時に出力させるよう、嗅覚ディスプレイを制御する制御手段を備える、香り時計である。
【０００９】
第１の発明では、香り時計（１００：実施例において対応する部分を例示する参照符号。以下、同じ。）の嗅覚ディスプレイ（１０）には香源を含む複数のカートリッジ（１４）が装着される。たとえば、嗅覚ディスプレイは、指示信号を受信すると、各カートリッジ内の香源から香り成分を噴射させることによって複数の香りを出力する。記憶手段（４０４）は、たとえばデータベースとも呼ばれ、複数の香りのうち、１つまたは２つ以上の香りを同時に出力させる順番を示すパターンがそのデータベースに記憶されている。たとえば、ユーザによって設定された設定時刻になると、制御手段（２６，４００，Ｓ３９）
は、パターンが示す順番で複数の香りのうち、１つまたは２つ以上の香りを同時に出力させるように制御信号を嗅覚ディスプレイに出力する。これにより、嗅覚ディスプレイからは１つまたは２つ以上の香りが同時に、出力される。
【００１０】
第１の発明によれば、香りの順番を示すパターンを利用することで、ユーザに合わせて香りの種類を調整しながら香りを出力することが出来る。たとえば、香りによる心理的効果はユーザがどの種類の香りに敏感かによって左右されるが、第１の発明ではこのような問題を解消することが出来る。
【００１１】
特に、たとえば香り時計を目覚ましとして利用した場合は、刺激性の少ない柑橘系の香りを出力した後に清涼系または薄荷系の強い香りを出力することで、ユーザに与えるストレスを抑えながら脳を覚醒させるという効果が期待できる。この場合、ユーザは、起きる準備時間を得ることが出来るため、快適に起床することが出来る。
【００１２】
第２の発明は、第１の発明に従属し、パターンは、噴射させる香り成分の濃度を示す。
【００１３】
第３の発明は、第２の発明に従属し、パターンは、噴射させる香り成分の濃度の変化を示す。
【００１４】
第２の発明および第３の発明によれば、ユーザに合わせて香りの種類および濃度を調整しながら香りを出力することが出来る。
【００１５】
特に、入眠前状態で香り時計を利用した場合、香りの濃度を次第に低くするように制御することで、ユーザを心地よい眠りに誘うことが出来る。
【００１６】
第４の発明は、第１の発明ないし第３の発明のいずれかに従属し、パターンは、１つまたは２つ以上の香りを連続的に出力する指示をさらに含む。
【００１７】
第５の発明は、第１の発明ないし第４の発明のいずれかに従属し、パターンは、１つまたは２つ以上の香りを間欠的に出力する指示をさらに含む。
【００１８】
第４の発明および第５の発明によれば、ユーザは、香りを出力する際に、連続的に出力するか、間欠的に出力するかを任意に選ぶことが出来る。
【００１９】
第６の発明は、第１の発明ないし第５の発明のいずれかに従属し、嗅覚ディスプレイは、カートリッジに密着し、圧電素子で駆動する風力源を含み、風力源は、嗅覚ディスプレイが制御手段によって制御されているときに駆動する。
【００２０】
第６の発明では、風力源（２６）は、香源を含むカートリッジに密着している。たとえば、圧電素子（５６）はダイヤフラム（５８）に貼り付けられている。また、圧電素子に高周波の交番電圧やパルス電圧が引火されると、ダイヤフラムが板厚方向に高速で屈曲振動し、空気の流れが発生する。そして、風力源は、嗅覚ディスプレイが制御手段によって制御されているときに駆動する。
【００２１】
第６の発明によれば、圧電素子で駆動する風力源は、ブロアファンやスクロールブロアのような回転機構では無いため、小型化および低背化が可能であり、消費電力も小さい。そのため、事実上無振動の上、短時間で高い静圧を生成できる。
【００２２】
第７の発明は、第１の発明ないし第６の発明のいずれかに従属し、ユーザの入眠前状態を検出する検出手段をさらに備え、制御手段は、検出手段がユーザの入眠前状態を検出し
たとき、パターンが示す順番で複数の香りのうち、１つまたは２つ以上の香りを同時に出力させるよう、嗅覚ディスプレイを制御する。
【００２３】
第７の発明では、検出手段（６）はたとえば圧力センサなどを含み、この圧力センサ（６０４）は、たとえばユーザが就寝するときに利用する枕に内蔵される。たとえば、ユーザが枕に頭を置き、圧力センサが圧力を検出すると、嗅覚ディスプレイはパターンが示す順番で複数の香りのうち、１つまたは２つ以上の香りを同時に出力させる。
【００２４】
第７の発明によれば、ユーザの入眠前状態を検出することで、適切なタイミングで香りを出力することが出来る。
【発明の効果】
【００２５】
この発明によれば、ユーザに合わせて香りの種類を調整しながら香りを出力することが出来る。
【００２６】
この発明の上述の目的、その他の目的、特徴および利点は、図面を参照して行う以下の実施例の詳細な説明から一層明らかとなろう。
【図面の簡単な説明】
【００２７】
【図１】図１はこの発明の一実施例の香り時計の概要を示す図解図である。
【図２】図２は図１に示す香り時計の構成の一例を示す図解図である。
【図３】図３は図１および図２に示す嗅覚ディスプレイの外観の一例を示す外観図である。
【図４】図４は図３に示す嗅覚ディスプレイの前面方向から見た内部構造の一例を概略的に示す図解図である。
【図５】図５は図３に示す嗅覚ディスプレイの側面方向から見た内部構造の一例を概略的に示す断面図であり、図４のＶ‐Ｖ線における断面を示す。
【図６】図６は図３に示す嗅覚ディスプレイが備えるディスプレイ本体の外観の一例を示す斜視図である。
【図７】図７は図６に示すディスプレイ本体のカバーを開口した様子の一例を示す図解図である。
【図８】図８は図６に示すディスプレイ本体の前面方向から見た内部構造の一例を概略的に示す断面図である。
【図９】図９は図６に示すディスプレイ本体の側面方向から見た内部構造の一例を概略的に示す断面図である。
【図１０】図１０は図３に示す嗅覚ディスプレイが備える風力源を対角線方向に切断したときの断面の一例を示す断面図である。
【図１１】図１１は図３に示す嗅覚ディスプレイが備える動作音抑制部を厚さ方向と直交する方向に切断したときの断面の一例を示す断面図である。
【図１２】図１２は図３の嗅覚ディスプレイに用いられる香源カートリッジの外観の一例を示す斜視図である。
【図１３】図１３は図１２の香源カートリッジの前面方向から見た外観の一例を示す図解図である。
【図１４】図１４は図３に示す嗅覚ディスプレイが備える制御回路の一例を示す回路図である。
【図１５】図１５は図３に示す嗅覚ディスプレイから噴射される香り成分の濃度を調整する方法の一例を説明するための図解図であり、図１５（Ａ）は濃度を普通（中程度）に調整する方法の一例を示し、図１５（Ｂ）は濃度を高い状態に調整する方法の一例を示し、図１５（Ｃ）は濃度を低い状態に調整する方法の一例を示す。
【図１６】図１６は図２に示す情報処理装置の電気的な構成の一例を示すブロック図である。
【図１７】図１７は図１６に示すアロマパターンデータベースに含まれる噴射パターンテーブルの構成の一例を示す図解図である。
【図１８】図１８は図１７に示す噴射パターンを視覚的に表した画像の一例を示す図解図であり、図１８（Ａ）は濃度が徐々に低くなるよう調整されている状態を示す画像の一例であり、図１８（Ｂ）は濃度が徐々に高くなるよう調整されている状態の一例を示す画像の一例である。
【図１９】図１９は図１６に示すアロマパターンデータベースに含まれる噴射タスクテーブルの構成の一例を示す図解図である。
【図２０】図２０は図１に示す情報処理装置のディスプレイに表示される噴射画面の一例を示す図解図である。
【図２１】図２１は図１６に示すアロマパターンデータベースに含まれる噴射履歴テーブルの構成の一例を示す図解図である。
【図２２】図２２は図１６に示す情報処理装置のメモリのメモリマップの一例を示す図解図である。
【図２３】図２３は図１６に示す情報処理装置のプロセッサの噴射タスク作成処理の一例を示すフロー図である。
【図２４】図２４は図１６に示す情報処理装置のプロセッサの噴射タスク管理処理の一例を示すフロー図である。
【図２５】図２５はこの発明の第２実施例の香り時計の概要を示す図解図である。
【図２６】図２６は図２５に示す第２実施例の香り時計の構成の一例を示す図解図である。
【図２７】図２７は図２６に示す第２実施例の嗅覚ディスプレイが備える制御回路の一例を示す回路図である。
【図２８】図２８は図２６に示す情報処理装置の電気的な構成の一例を示すブロック図である。
【図２９】図２９は図２６に示す入眠前状態検出装置の電気的な構成の一例を示すブロック図である。
【図３０】図３０は図２８に示す第２実施例のアロマパターンデータベースに記憶される噴射タスクテーブルの構成の一例を示す図解図である。
【図３１】図３１は図２８に示す情報処理装置のメモリのメモリマップの一部の一例を示す図解図である。
【図３２】図３２は図２８に示す第２実施例の情報処理装置のプロセッサの噴射タスク作成処理の一例を示すフロー図である。
【図３３】図３３は図２８に示す第２実施例の情報処理装置のプロセッサの噴射タスク管理処理の一例を示すフロー図である。
【発明を実施するための形態】
【００２８】
＜第１実施例＞
図１−図３を参照して、この発明の一実施例である香り時計１００は、情報処理装置４および嗅覚ディスプレイ１０を含む。香り時計１００は、ユーザなどによって予め決められた設定時刻に、予め決められた所定の香りを嗅覚ディスプレイ１０から出力することが出来る。そして、ユーザは、設定時刻に所定の香りを嗅ぐことが出来る。
【００２９】
情報処理装置４は、たとえばノート型ＰＣの一種であり、嗅覚ディスプレイ１０と接続されている。また、情報処理装置４は、たとえばインターネットなどのネットワークを介して、香りを出力したときの天気や季節などの情報をサーバから取得することが出来る。
【００３０】
嗅覚ディスプレイ１０は、たとえば、香りを噴射する噴射口１６が寝ているユーザの顔の方向を向くように、三脚の雲台に取り付けられてユーザの周囲に設置される。嗅覚ディ
スプレイ１０は、情報処理装置４の指示に従って、時間的および空間的に限られた範囲に香りを出力する。
【００３１】
なお、本実施例の嗅覚ディスプレイ１０は、映像や音を含むコンテンツに香り（嗅覚情報）を付加してユーザに出力（提示）することによって、コンテンツの現実感や臨場感を高めるために用いることも出来る。たとえば、嗅覚ディスプレイ１０は、情報処理装置４や、テレビ、ラジオ、ゲーム機、カラオケ装置、カメラ、ＣＤプレイヤ、ＤＶＤプレイヤ、携帯電話（いわゆる、スマートフォンを含む）、スマートウォッチ、スマートグラスおよびＰＣなどの各種の視聴覚ディスプレイと連動して、香りを出力することも出来る。
【００３２】
図４は、嗅覚ディスプレイ１０の前面方向から見た内部構造を概略的に示す図解図であり、後述する噴射板３４を省略して嗅覚ディスプレイ１０の内部の様子を示すものである。また、図５は、図４のＶ‐Ｖ線において切断した嗅覚ディスプレイ１０の断面図であり、嗅覚ディスプレイ１０の側面方向から見た内部構造を概略的に示している。
【００３３】
図４および図５に示すように、嗅覚ディスプレイ１０は、ディスプレイ本体１２およびその内部に着脱可能に収容される複数の香源カートリッジ（以下、単に「カートリッジ」と言うこともある。）１４を備える。この実施例では、ディスプレイ本体１２には、周方向に並ぶように６つのカートリッジ１４が収容される。ただし、ディスプレイ本体１２に対して同時に収容可能なカートリッジ１４の数（後述するカートリッジ収容室２４の数）は、特に限定されない。
【００３４】
以下、嗅覚ディスプレイ１０の構成について具体的に説明する。図６−図９に示すように、ディスプレイ本体１２は、その外殻を構成する筐体２０、および筐体２０の内部空間を隔壁２２で区画することによって形成される複数のカートリッジ収容室（カートリッジ装着場所）２４を備える。また、カートリッジ収容室２４のそれぞれには、隔壁２２内に密着配置された風力源２６および動作音抑制部２８が設けられる。
【００３５】
筐体２０は、ベース部３０、側壁３２および噴射板３４を含み、アクリル樹脂等の適宜な材料によって中空の六角柱状に形成される。筐体２０の大きさは、前面視で対向する頂点間の長さがたとえば６０ｍｍであり、軸方向（前後方向）の長さがたとえば６０ｍｍである。
【００３６】
なお、図示は省略するが、ディスプレイ本体１２の内部には、制御基板を収容する制御基板室が設けられる。制御基板は、基板上にＣＰＵやメモリ等の電子部品を実装した構造（図１４参照）を有し、後述する風力源２６および補助風力源７６等と配線（図示せず）を介して接続されて、当該嗅覚ディスプレイ１０の動作を制御する。
【００３７】
ベース部３０は、正六角板状に形成され、筐体２０の後方側（ユーザとは逆側）に配置される。ベース部３０の周縁部には、側壁３２が設けられている。側壁３２は、ベース部３０の周縁部角部のそれぞれに連なるホルダ３２ａと各ホルダ３２ａ間に設けられるスライドカバー３２ｂとによって六角筒状に形成される。ホルダ３２ａの側面には、スライド溝３６が形成されており、このスライド溝３６にスライドカバー３２ｂの側面に形成される突起部（図示せず）が嵌め込まれる。これによって、スライドカバー３２ｂは、ホルダ３２ａ間を滑動可能とされる。後述するように、ホルダ３２ａ間の開口のそれぞれは、カートリッジ収容室２４のカートリッジ交換口３８として機能し、スライドカバー３２ｂは、このカートリッジ交換口３８の開閉に利用される。また、スライドカバー３２ｂは、カートリッジ１４をカートリッジ収容室２４内に収容したときに、カートリッジ１４の挿入方向後端と当接し、カートリッジ１４を挿入方向に押す作用を奏する。
【００３８】
側壁３２の前端部、つまり筐体２０の前方側には、噴射板３４が設けられている。噴射板３４は、正六角板状に形成され、側壁３２の端部開口を覆う。噴射板３４の中央部には、ドーム型の突起部４０が設けられ、この突起部４０の中央部を貫通するように、噴射板３４の厚み方向に延びる連通孔４２が形成される。この連通孔４２は、前方側に向かうに従い縮径されるテーパ状の縮径部を有し、その前方部分は直管状に形成される。突起部４０の先端開口が噴射口１６として機能し、連通孔４２は、噴射口１６と各カートリッジ収容室２４とを連通させる。なお、噴射口１６の径は、たとえば０．８ｍｍである。
【００３９】
また、筐体２０の適宜な位置には、三脚の雲台を取り付けるためのねじ穴４４が形成される。この実施例では、ねじ穴の規格は、カメラ用の雲台に適合したものとされる。カメラ用の雲台のねじの規格は世界標準（1/4 inch - 20 UNC）で統一されているので、ねじ
穴の規格をそれに適合させておけば、世界各地のカメラ用の雲台を嗅覚ディスプレイ１０用の雲台としてそのまま使用することができるので便利である。
【００４０】
また、筐体２０の内部空間は、対向するホルダ３２ａ同士を連結する放射状の隔壁２２によって区画され、筐体２０内には、周方向に並ぶ正三角柱状の６つのカートリッジ収容室２４が形成される。すなわち、カートリッジ収容室２４の内側面は、筐体２０の中心側に向かって収束する（つまり後述するカートリッジ１４の挿入方向に対して内向きに傾斜する）２つの傾斜面４６を有している。また、各隔壁２２の連結部分である中心軸４８は、六角柱状に形成され、ベース部３０から突出してその先端部は連通孔４２内まで延びている。中心軸４８の先端部は、外周面に溝状の切欠きを形成した先細り形状とされ、後述するカートリッジ１４の香気出口８８から吐出される香気（香り成分を含む空気）を噴射口１６方向に導くガイド部として機能する。これによって、香気の逆流や他のカートリッジ１４内への香気の浸入が防止される。
【００４１】
各カートリッジ収容室２４には、噴射板３４に形成される連通孔４２を介して噴射口１６と連通する空気送出口５０が形成される。また、各カートリッジ収容室２４には、スライドカバー３２ｂによって開閉可能なカートリッジ交換口３８が形成される。
【００４２】
さらに、各カートリッジ収容室２４には、隔壁２２に密着して風力源２６が設けられる。この風力源２６は、隔壁２２内に配置され（つまり筐体２０内に放射状に配置され）、隔壁２２の一部を構成する。風力源２６の中央部に設けられたノズル５２（図１０参照）は、カートリッジ収容室２４内と連通し、カートリッジ収容室２４に収容されたカートリッジ１４内に空気を流入させる空気供給口５４として機能する。なお、風力源２６の大きさは、たとえば、縦２０ｍｍ、横２０ｍｍ、厚さ２ｍｍである。
【００４３】
図１０は、風力源２６を対角線方向に切断したときの断面を示す。風力源２６は、圧電素子（ピエゾ素子）５６を貼り付けたダイヤフラム５８を備えており、圧電素子５６に高周波の交番電圧（正弦波電圧または矩形波電圧）やパルス電圧を印加することによって、ダイヤフラム５８を板厚方向に高速で屈曲振動させて、空気の流れを発生させる圧電式のものである。
【００４４】
以下、風力源２６の動作について簡単に説明する。風力源２６では、円板状の圧電素子５６を貼り付けたダイヤフラム５８の約２６ｋＨｚの振動に伴い、ポンプ室６０の中心部に設けられた通気孔６２から、空気の吸引と吐出が繰り返される。吸引時に吸入流路６４からポンプ室６０に取り込まれた空気は、吐出時には通気孔６２と同軸に配置された天板６６上のノズル５２を通過し、ノズル５２内のテーパ管路で膨張して吐出される。このとき、通気孔６２とノズル５２との間の空間には、ベンチュリ効果により負圧部が生じるため、通気孔６２の空気は継続して吸引される。これによって、通気孔６２からノズル５２へ向かう連続したポンプ動作が得られる。
【００４５】
このように圧電素子５６で駆動する風力源（圧電式の風力源）２６は、ブロアファンやスクロールブロアのような回転機構では無いため、小型化および低背化が可能であり、消費電力も小さい。また、事実上無振動の上、短時間で高い静圧を生成できる特徴を有する。なお、このような風力源２６としては、たとえば株式会社村田製作所製のマイクロブロア（型番：ＭＺＢＸ００１）を用いることができる。
【００４６】
図８および図９に戻って、風力源２６の裏側（空気流路の上流側）には、風力源２６の動作音（ダイヤフラム５８の振動音）の外部への漏れを抑制するための平板状の動作音抑制部２８が設けられる。この動作音抑制部２８も、隔壁２２の一部を構成する。動作音抑制部２８は、アクリル樹脂等の適宜な材料によって形成され、ダイヤフラム５８の裏側に空洞部を形成する。この動作音抑制部２８の外気口７０（図１１参照）は、ベース部３０の周縁部に形成される外気吸入口７４を介して筐体２０の外部と連通する。なお、動作音抑制部２８の大きさは、たとえば、縦２０ｍｍ、横２０ｍｍ、厚さ２ｍｍである。
【００４７】
図１１は、動作音抑制部２８を厚さ方向と直交する方向に切断したときの断面を示す。図１１に示すように、動作音抑制部２８の側壁６８には、風力源２６の作動時に外気を吸入するための外気口７０が形成されており、動作音抑制部２８の内部は、Ｃ字状の仕切壁７２によって仕切られている。これによって、風力源２６の動作音は、迷路状の空気通路を遠回りするようにして外気口７０に到達するので、外気口７０からの動作音の漏れが抑制される。
【００４８】
また、図８および図９に戻って、ベース部３０内には、補助風力源７６が設けられる。補助風力源７６は、各カートリッジ収容室２４から独立して設けられるものであり、香気の加速、香り成分の濃度調整および消臭などに利用される。補助風力源７６としては、風力源２６と同様のもの、すなわち、圧電素子を貼り付けたダイヤフラムを備え、圧電素子に対して高周波の交番電圧が印加されるとダイヤフラムを高速振動させて空気流を発生させるものを用いるとよい。この補助風力源７６の裏側にも、動作音抑制部２８が適宜設けられる。
【００４９】
また、中心軸４８内には、補助風力源７６のノズルから吐出された空気（無臭の空気）の通り道となる補助通路７８が形成される。補助通路７８は、補助風力源７６のノズルと連通孔４２とを直線的に連通させる貫通孔であり、連通孔４２を介して噴射口１６まで直線的に延びる。補助風力源７６が作動されると、補助風力源７６のノズルから補助通路７８内に無臭の空気が吐出される。この無臭の空気は、複雑な経路を辿ることなく噴射口１６まで直行するので、圧力低下をほぼ発生させることなく噴射口１６から噴射される。
【００５０】
このようなディスプレイ本体１２のカートリッジ収容室２４内には、カートリッジ１４が着脱可能に収容される。図１２および図１３に示すように、カートリッジ１４は、ポリエチレン或いはポリプロピレンなどの合成樹脂等によって形成される容器本体８０を備える。容器本体８０は、カートリッジ収容室２４の内面形状に隙間なく沿う外面形状を有するように、中空の正三角柱状に形成される。容器本体８０には、カートリッジ１４をカートリッジ収容室２４内に収容した際に、カートリッジ収容室２４の空気供給口５４に対向する位置に、吸気口８２が形成される（図５参照）。すなわち、容器本体８０の外側面は、カートリッジ１４の挿入方向に対して収束する２つの傾斜面８４を有しており、その一方の傾斜面８４に吸気口８２が形成される。
【００５１】
また、容器本体８０には、カートリッジ収容室２４の空気送出口５０に対向する位置に、香気出口８８が形成される（図３および図４参照）。香気出口８８のそれぞれは、連通孔４２を介して噴射口１６にほぼ直線状に連通するため、香気出口８８から送出される香
気は、その勢いを低減することなく噴射口１６から噴射される。なお、吸気口８２の径および香気出口８８の径は、たとえば０．８ｍｍである。
【００５２】
また、カートリッジ１４から送出された香気が接触するディスプレイ本体１２の内部経路は、噴射板３４の連通孔４２のみであるので、ディスプレイ本体１２に対する香り成分の付着（残香）はほとんど生じない。なお、吸気口８２および香気出口８８の径は小さいので、風力源２６を作動させないときには、カートリッジ１４からの香りの漏れはほとんど発生しない。
【００５３】
容器本体８０の内部には、固形状の香源９０が収容される。固形状の香源９０は、たとえば、粒状の多孔質体に液体香料を染み込ませて（含浸させて）、多孔質体の外表面および細孔内に液体香料を保持させることによって製作される。香料としては、天然香料、合成香料、およびそれらの調合香料が適宜使用できる。多孔質体としては、ケイ酸カルシウムなどの粒状体を適宜利用できる。多孔質体の粒径および形状は特に限定されない。このように固形状の香源９０を用いることによって、香源９０から香料（香り成分）を徐々に放出させることができる。
【００５４】
カートリッジ１４をディスプレイ本体１２のカートリッジ収容室２４内に収容する際には、スライドカバー３２ｂを開状態にし、カートリッジ交換口３８から中心軸４８方向にカートリッジ１４を押し込むようにしてカートリッジ収容室２４内に収容する。その後、スライドカバー３２ｂを閉状態にすることにより、カートリッジ１４（容器本体８０）の挿入方向後端側をスライドカバー３２ｂによって抑える。したがって、ディスプレイ本体１２の空気供給口５４とカートリッジ１４の吸気口８２との接続部分は密着性が高まって適切に密着する。
【００５５】
また、カートリッジ収容室２４およびカートリッジ１４が挿入方向に対して内向きに傾斜する傾斜面４６，８４を有することから、カートリッジ収容室２４の入口部分（つまりカートリッジ交換口３８）がカートリッジ１４の挿入方向前方側の部分より大きくなる。このため、カートリッジ収容室２４内にカートリッジ１４を挿入し易い。
【００５６】
このような構成の嗅覚ディスプレイ１０においては、目的の香源９０を収容したカートリッジ１４に対応する風力源２６の圧電素子５６に対して交番電圧を印加すると、ダイヤフラム５８が高速で屈曲振動され、外気吸入口７４から外気が吸引されると共に、風力源２６のノズル５２（空気供給口５４）から吸気口８２を介してカートリッジ１４内に高速かつ高圧の空気が送り込まれる。カートリッジ１４内の空気には、香源９０から揮発した気体状の香り成分が含まれており、その香り成分を含む空気（香気）は、香気出口８８から連通孔４２内に吐出される。
【００５７】
具体的には、嗅覚ディスプレイ１０の制御基板は、Ｉ／Ｆ２０６（図１４参照）を介して情報処理装置４から送られてくる指示信号に応じて、目的の香源９０を収容したカートリッジ１４に対応する風力源２６の圧電素子５６に対して交番電圧を印加する。すると、ダイヤフラム５８が高速で屈曲振動され、外気吸入口７４および動作音抑制部２８などを介して風力源２６内に外気が吸引されると共に、風力源２６のノズル５２からカートリッジ１４内に高速かつ高圧の空気が送り込まれる。カートリッジ１４内の空気には、香源９０から揮発した気体状の香り成分が含まれており、その香り成分を含む空気（香気）は、香気出口８８から連通孔４２内に吐出される。
【００５８】
また、指示信号には、噴射する香り成分を示す香り情報（アロマコード：aroma code）が含まれる。また、アロマコードとは、たとえば、バナナ、りんご、バニラ、オレンジなどの香り（または香りの種類）毎に固有の番号（コード）を割り当てたものである。たと
えば、嗅覚ディスプレイ１０のポート（カートリッジ収容室２４）は番号１‐６で示される。情報処理装置４が備えるアロマパターンデータベース４０４（図１６参照）には、各ポートのそれぞれにどの種類の香源９０のカートリッジが装着されているかをアロマコードで示すデバイス情報テーブルが記憶（保存）される。
【００５９】
そのため、情報処理装置４は、このデバイス情報テーブルに基づいて、指示信号を嗅覚ディスプレイ１０に出力する。そして、この指示信号には、噴射する香り成分、すなわち当該香りの香源９０が入れられたカートリッジ１４に設けられた風力源２６（圧電素子５６）の情報が含まれる。
【００６０】
また、制御基板は、情報処理装置４から送られてくる指示信号に応じて、補助風力源７６を作動させる。すなわち、補助風力源７６の圧電素子５６に対しても交番電圧を印加する。これにより、補助風力源７６のノズル５２から吐出される無臭の空気は、直線状の補助通路７８内を通って噴射口１６まで直行する。香気出口８８から連通孔４２内に吐出された香気は、補助風力源７６から吐出された無臭の空気と連通孔４２内で合流してその空気の流れに乗って香気噴射方向に加速され、情報処理装置４からの指示信号に対して殆どの時間的な遅れなしに噴射口１６から勢いよく直進性を持って噴射される。そして、風力源２６および補助風力源７６の圧電素子５６に対する交番電圧の印加が停止されると、噴射口１６からの香気の噴射も瞬時に停止される。
【００６１】
この際、圧電式の風力源２６および補助風力源７６を用いていることから、香気の噴射の開始および停止は、応答性よく実行され（つまり正確な時間制御が可能であり）、しかも、脈動的ではない一定した香りを連続して出力することも可能となる。また、補助風力源７６を備えることにより、風力源２６のみでは連通孔４２で圧力低下が生じてしまうような場合でも、カートリッジ１４から吐出された香気を香気噴射方向に適切に加速することができ、香気の噴射性能を維持ないし向上させることができる。すなわち、噴射口１６からは指向性を持って香気が勢いよく噴射され、空間的に非常に限られた範囲（つまりユーザの顔付近のみ）に対して香りを出力できる。
【００６２】
なお、風力源２６を停止した後（香りの出力後）に、補助風力源７６を作動させ続けて無臭の空気のみを噴射し、噴射した香り成分を拡散または希釈するようにすれば、香り成分をそのまま自由拡散させることと比較して、より素早い消臭が可能となる。
【００６３】
また、この実施例では６つのカートリッジ１４を備え、連通孔４２を介して１つの噴射口１６から香気を噴射するようにしている。このため、６種類の香りを個別に出力できるのはもちろんのこと、各カートリッジ１４の風力源２６を同時に或いはタイムシェアリングさせて作動させることにより、香りを調合して出力できる。たとえば、各カートリッジ１４に収容される香源９０をＡ、Ｂ、Ｃ、Ｄ、Ｅ、Ｆとすると、「Ａ+Ｂ、Ａ+Ｃ、…、Ｅ+Ｆ、…、Ｂ+Ｃ+Ｄ+Ｅ+Ｆ、Ａ+Ｂ+Ｃ+Ｄ+Ｅ+Ｆ」というように、多種類の香りを調香して提供できる。また、各風力源２６の入力信号のＤｕｔｙ比を調整すること等によって、香りを調合する割合を適宜変化させることもできる。
【００６４】
この実施例では、情報処理装置４は、指示信号に加えて、香り成分の濃度を調整するための制御信号も出力する。そして、嗅覚ディスプレイ１０は、制御信号に応じて、香り成分の濃度を調整することができる。具体的には、風力源２６および補助風力源７６を交互に作動させるとともに、その作動させる時間（以下、「作動期間」という。）および停止させる時間（以下、「停止期間」という。）を制御して、カートリッジ１４からの香気と補助風力源７６からの無臭の空気との混合割合を調整する。
【００６５】
以下、香り成分の濃度を調整（制御）する方法について説明する。本実施例では、香り
成分の濃度を制御する方法としては、香気と無臭の空気とを交互に噴射させ、香気と無臭の空気とを噴射させる期間を変化させる噴射方法が採用される。ただし、他の実施例では、香気と無臭の空気とを交互に噴射させ、香気と無臭の空気とを噴射させる回数を変化させる噴射方法、および、香気と無臭の空気とを交互に噴射させ、一度に香気を噴射させる量（噴射量）を変化させる噴射方法などが採用されてもよい。
【００６６】
図１４は上述した本実施例の噴射方法を実現するための制御回路２００の一例を示す図解図である。この制御回路２００は、制御基板上に形成される。図１４に示すように、制御回路２００は、プロセッサ２０２を含み、プロセッサ２０２にはメモリ２０４が接続される。メモリ２０４は、フラッシュメモリやＲＡＭのような書き代え可能な記憶媒体である。また、プロセッサ２０２には、Ｉ／Ｆ２０６が接続され、このＩ／Ｆ２０６を介して情報処理装置４と通信可能に接続される。さらに、プロセッサ２０２には、スイッチ回路２０８が接続される。このスイッチ回路２０８には、６個の風力源２６および１個の補助風力源７６のそれぞれに含まれる７個の圧電素子５６の一方端が接続される。これらの圧電素子５６の他方端のそれぞれは、可変抵抗Ｒを介して、制御回路２００の外部に設けられる交番電圧源３００に接続される。
【００６７】
たとえば、スイッチ回路２０８は、７個のスイッチング素子（たとえば、ＦＥＴ）を含み、各圧電素子５６と接地との間にそれぞれ設けられる。プロセッサ２０２は、制御信号に従って、各スイッチング素子をオン／オフする時間を制御したり、各可変抵抗Ｒの抵抗値を制御したり（変化させたり）、または、それらの両方を制御したりする。つまり、風力源２６および補助風力源７６の作動期間および風力源２６および補助風力源７６に含まれる圧電素子５６の振幅の大きさの少なくとも一方を制御する。
【００６８】
なお、上述した情報処理装置４からの指示信号は、嗅覚ディスプレイ１０のプロセッサ２０２に入力される。
【００６９】
また、図１４に示す制御回路２００には、情報処理装置４が出力する、香り成分の濃度を制御（調整）するための制御信号が入力される。たとえば、線形的に濃度を変化させるための制御信号がプロセッサ２０２（嗅覚ディスプレイ１０）に入力されると、これに応じて、嗅覚ディスプレイ１０から噴射される香り成分の濃度が線形的に変化する。ただし、微小な濃度の変化は人間の嗅覚で認識するのは困難であるため、段階的（ステップ状）に濃度を調整するようにしてもよい。そして、本実施例では、濃度は０％（低い）から１００％（高い）までを、任意に調整（制御）することが可能である。ただし、以下の説明では、簡単のため、３段階（高い、普通（中程度）、低い）で濃度を調整する場合について説明する。
【００７０】
本実施例の噴射方法の場合には、香りを出力する期間（以下、「香り出力期間」と言う。）において、出力する香りの香源９０が入れられたカートリッジ１４に設けられた風力源２６の作動期間と、補助風力源７６の作動期間とが反転するように、各風力源（３２、７４）の圧電素子５６が駆動および停止される。ただし、この噴射方法では、各圧電素子５６に波高値が一定値の交番電圧が印加される。具体的には、交番電圧源３００からの交番電圧が各可変抵抗Ｒで降圧され、降圧された交番電圧（たとえば、周波数２６ｋＨｚ、１９．５Ｖｐ−ｐ）が各圧電素子５６に印加される。
【００７１】
なお、香り出力期間は、情報処理装置４からの指示信号において指定される期間（時間）である。
【００７２】
図１５（Ａ）には香り成分の濃度を普通（中程度）に設定するための制御信号が情報処理装置４からプロセッサ２０２に入力された場合に、風力源２６および補助風力源７６の
作動を制御する例（作動および停止の時系列の変化）が示される。また、図１５（Ｂ）には、香り成分の濃度を高く設定するための制御信号が情報処理装置４からプロセッサ２０２に入力された場合に、風力源２６および補助風力源７６の作動を制御する例が示される。さらに、図１５（Ｃ）には、香り成分の濃度を低く設定するための制御信号が情報処理装置４からプロセッサ２０２に入力された場合に、風力源２６および補助風力源７６の作動を制御する例が示される。
【００７３】
ただし、図１５（Ａ）−図１５（Ｃ）の風力源２６は、情報処理装置４から指示された香源９０、すなわち出力する香りの香源９０が入れられたカートリッジ１４に設けられた風力源２６である。
【００７４】
上述したように、本実施例の噴射方法では、風力源２６の作動期間と補助風力源７６の作動期間とが反転され、風力源２６と補助風力源７６は交互に作動される。
【００７５】
また、この実施例では、香り成分の濃度に応じて、風力源２６の一回の作動期間は決定されている。
【００７６】
たとえば、香り成分の濃度が普通（中程度）である場合の作動期間を基準（たとえば、１秒）として、香り成分の濃度が高い場合の作動期間は基準の１．５倍（１．５秒）であり、香り成分の濃度が低い場合の作動期間は基準の０．５倍（０．５秒）である。ここで、たとえば、風力源２６の作動を制御する周期を２秒とする。濃度に応じた作動期間および周期についての数値はメモリ２０４に記憶されており、プロセッサ２０２は、情報処理装置４から制御信号を受信すると、これらの数値に従って、スイッチ回路２０８内部に設けられるスイッチング素子のオン／オフを制御する。
【００７７】
図１５（Ａ）に戻って、香り成分の濃度が普通である場合には、風力源２６の一回の作動期間は１秒であり、作動を制御する周期は２秒であるため、補助風力源７６の一回の作動期間は１秒に設定される。つまり、風力源２６の一回の作動期間と補助風力源７６の一回の作動期間とは同じ長さに設定される。
【００７８】
なお、図１５（Ａ）において、作動期間についてはＨ（ハイレベル）と記載し、停止期間についてはＬ（ローレベル）と記載してあるが、プロセッサ２０２がＦＥＴのようなスイッチング素子に与えるパルスのレベルを意味する。つまり、この実施例では、パルスがハイレベルのときにスイッチング素子はオンされ、パルスがローレベルのときにスイッチング素子はオフされる。
【００７９】
また、図１５（Ｂ）に示すように、香り成分の濃度が高い場合には、風力源２６の一回の作動期間は１．５秒であり、作動を制御する周期は２秒であるため、補助風力源７６の一回の作動期間は０．５秒に設定される。つまり、風力源２６の一回の作動期間は、補助風力源７６の一回の作動期間の３倍の長さに設定される。したがって、香り成分の濃度が普通である場合よりも高くされる。
【００８０】
さらに、図１５（Ｃ）に示すように、香り成分の濃度が低い場合には、風力源２６の一回の作動期間は０．５秒であり、作動を制御する周期は２秒であるため、補助風力源７６の一回の作動期間は１．５秒に設定される。つまり、風力源２６の一回の作動期間は、補助風力源７６の一回の作動期間の１／３の長さに設定される。したがって、香り成分の濃度が普通である場合よりも低くされる。
【００８１】
上記の図１５（Ａ）−図１５（Ｃ）に示した本実施例の噴射方法の場合には、濃度に応じた風力源２６の一回の作動期間を予め決定しておいたが、これに限定される必要はない
。たとえば、他の実施例の噴射方法の場合には、風力源２６の一回の作動期間を所定の長さに設定しておき、風力源２６および補助風力源７６を作動させる回数（頻度）で濃度を調整することもできる。したがって、他の実施例の噴射方法では、この作動期間の所定の長さについての情報がメモリ２０４に記憶されている。
【００８２】
図１６は情報処理装置４の電気的な構成を示すブロック図である。図１６を参照して、情報処理装置４は、プロセッサ４００などを含む。プロセッサ４００には、嗅覚ディスプレイ１０、メモリ４０２、アロマパターンデータベース（ＤＢ）４０４、通信ＬＡＮボード４０６、出力装置４１０、入力装置４１２およびＧＰＳ回路４１４などが接続される。
【００８３】
また、通信ＬＡＮボード４０６には通信装置４０８が接続され、ＧＰＳ回路４１４にはＧＰＳアンテナ４１６が接続される。
【００８４】
プロセッサ４００は制御手段とも言われ、情報処理装置４の動作を制御する。また、プロセッサ４００には、日時情報を出力するＲＴＣ４００ａが含まれる。メモリ４０２はＲＯＭ，ＨＤＤおよびＲＡＭを含む。ＲＯＭおよびＨＤＤには、情報処理装置４の動作を制御するための制御プログラムなどが予め記憶される。また、ＲＡＭは、プロセッサ４００のワークメモリやバッファメモリとして用いられる。
【００８５】
アロマパターンＤＢ４０４は記憶手段とも言われ、上述したデバイス情報テーブル、香り成分を噴射するときの噴射パターンを含む噴射パターンテーブル（図１７参照）、香り成分を噴射する設定時刻と噴射パターンとを対応付けた噴射タスクテーブル（図１８参照）および香り成分の噴射履歴を含む噴射履歴テーブル（図１９参照）などを含む。なお、上述した各テーブルについては、後述するためここでの詳細な説明は省略する。
【００８６】
通信ＬＡＮボード４０６は、たとえばＤＳＰで構成され、プロセッサ４００から与えられた送信データを通信装置４０８に与え、通信装置４０８は送信データを、ネットワークを介して他の装置（たとえばサーバ）に送信する。また、通信ＬＡＮボード４０６は、通信装置４０８を介してデータを受信し、受信したデータをプロセッサ４００に与える。
【００８７】
出力装置４１０はディスプレイおよびスピーカなどを含み、入力装置４１２はマイク、マウスおよびキーボードなどを含む。たとえば、ユーザは、出力装置４１０および入力装置４１２を利用して、香り時計１００に対して設定時刻を入力したり、出力する香りの種類などを設定したりする。
【００８８】
ＧＰＳ回路４１４は、ＧＰＳ機能によって現在位置を測位するときに起動される。ＧＰＳ回路４１４は、ＧＰＳアンテナ４１６によって受信されたＧＰＳ衛星のＧＰＳ信号が入力されると、そのＧＰＳ信号に基づいて測位処理を実行する。その結果、ＧＰＳ情報（位置情報）として、緯度および経度が算出される。
【００８９】
図１７を参照して、上述の噴射パターンテーブルには噴射パターンのパターン項目と対応する、噴射ＩＤ、状態、噴射種類、アロマコード、噴射時間、濃度、パターンおよび噴射の列が含まれる。噴射ＩＤの欄には、噴射パターンを識別するための噴射ＩＤが記憶される。また、１つの噴射パターンは、この噴射ＩＤに対応付けて同一の行に記憶される。つまり、噴射パターンテーブルにおける１つの行が、噴射ＩＤによって識別される１つの噴射パターンを示す。
【００９０】
状態の欄には、噴射パターンの利用目的（用途）が記憶される。利用目的は、睡眠および起床などであり、たとえば状態が「睡眠」の噴射パターンは、ユーザが就寝時に利用されることを示している。噴射種類の欄には、１つの噴射パターンによって噴射される香り
成分の数を示す。たとえば、噴射種類の欄に「３」と記憶されている場合、３種類の香り成分が噴射されることを意味する。アロマコードの欄には、設定時刻に達したときに噴射される香り成分を示すアロマコードが記憶される。また、記憶されるアロマコードの数は、噴射種類の欄に記憶されている噴射種類の値と対応する。そして、複数のアロマコードが記憶されている場合は、アロマコードの欄に記憶されているアロマコードの順番がそのまま、香り成分を噴射する順番を示す。
【００９１】
また、図示は省略するが、２つ以上のアロマコードが括弧で囲われている場合は、２つ以上の香りを調合して出力することを示す。この場合、一度に２つ以上の香り成分が噴射されることになる。
【００９２】
噴射時間は、１種類の香り成分（アロマコード）における香り出力期間を示す。たとえば、噴射時間の欄に「１２０」と記憶されている場合は、１種類の香り成分における香り出力期間が１２０秒であることを示す。なお、噴射種類の欄に「３」と記憶されている場合は、３種類の香り成分が１２０秒ずつ噴射されることになり、香り出力期間は３６０秒（＝３種類×１２０秒）となる。
【００９３】
濃度の欄には、濃度が変化する幅（濃度の変化量）が記憶される。パターンの欄には、香り成分が噴射された後の香り成分の濃度の変化のさせ方が記憶される。たとえば、パターンの欄に「弱く」が記憶され濃度の欄に「８０」と記憶されている場合は、設定時刻に達すると８０％の濃度の香り成分が噴射され、最終的な濃度が０％となるように濃度が変化することを示す。また、パターンの欄に「強く」が記憶され濃度の欄に「１００」と記憶されている場合は、設定時刻に達すると、０％の濃度で香り成分の噴射が開始され、最終的な濃度が１００％となるように濃度が変化することを示す。なお、図示は省略するがパターンの欄に「一定」と記憶されている場合は、濃度の欄に記憶されている値の濃度で香り成分が噴射され続けることを示す。
【００９４】
噴射の欄には、たとえば香り成分の噴射を連続的に行うか、間欠的に行うかが記憶される。噴射の欄に「連続」と記憶されている場合、香り成分が途切れることなく噴射される。一方、噴射の欄に「間欠」と記憶されている場合、香り成分が一定の間隔を空けながら間欠的に噴射される。このように、ユーザは、香りを出力する際に、連続的に出力するか、間欠的に出力するかを任意に選ぶことが出来る。
【００９５】
図１８（Ａ）および図１８（Ｂ）は、図１７に示す各噴射パターンを視覚的に表した画像の一例を示す図解図である。
【００９６】
図１８（Ａ）を参照して、噴射ＩＤ「０００００１」の噴射パターンでは、噴射種類が３種類であり、アロマコードが「１，２，６」であり、噴射時間が１２０秒であり、濃度が８０％であり、パターンが「弱く」であり、噴射が「連続」である。この場合は、アロマコード１、アロマコード２およびアロマコード６で示される香り成分が、それぞれ１２０秒ずつ、連続的に噴射される。また、濃度は、噴射が開始された時点で８０％であり、３６０秒かけて弱く（０％）なるように制御される。そのため、香り成分の噴射が開始されると、まず８０％の濃度でアロマコード１と対応する香り成分が連続的に噴射される。アロマコード１と対応する香り成分が噴射されてから１２０秒が経過すると濃度は約５４％になる。続いて、約５４％の濃度でアロマコード２と対応する香り成分が連続的に噴射され、１２０秒が経過すると濃度は約２７％になる。続いて、約２７％の濃度でアロマコード６と対応する香り成分が連続的に噴射され、１２０秒が経過すると濃度が０％になる。そして、濃度が０％に達すると、香り成分の噴射が終了する。
【００９７】
たとえば、上述の噴射パターンは、ユーザが寝るときに利用されることが想定されてい
る。そのため、出力される香りの実際の香りとしては、ラベンダー、ヒノキ、シダーウッドおよびコーヒーなどであることが望ましい。また、噴射する香り成分の濃度を徐々に低く（弱く）することで、ユーザを心地よい眠りに誘うことが出来る。
【００９８】
次に、図１８（Ｂ）を参照して、噴射ＩＤ「０００００２」の噴射パターンでは、噴射種類が４種類であり、アロマコードが「２，３，４，５」であり、噴射時間が１２０秒であり、濃度が１００％であり、パターンが「強く」であり、噴射が「間欠」である。この場合は、アロマコード２、アロマコード３、アロマコード４およびアロマコード５で示される香り成分が、それぞれ１２０秒ずつ、間欠的に噴射される。また、濃度は、噴射が開始された時点で０％であり、４８０秒（＝４種類×１２０秒）かけて強く（１００％）なるように制御される。そのため、香り成分の噴射が開始されると、まず０％の濃度でアロマコード２と対応する香り成分が間欠的に噴射され、１２０秒が経過すると濃度は約２５％になる。続いて、約２５％の濃度でアロマコード３と対応する香り成分が間欠的に噴射され、１２０秒が経過すると濃度は約５０％になる。続いて、約５０％の濃度でアロマコード４と対応する香り成分が間欠的に噴射され、１２０秒が経過すると濃度は約７５％になる。続いて、約７５％の濃度でアロマコード５と対応する香り成分が間欠的に噴射され、１２０秒が経過すると濃度は約１００％になる。そして、濃度が約１００％に達すると、香り成分の噴射が終了する。
【００９９】
たとえば、上述の噴射パターンは、ユーザが起床するときに利用されることが想定されている。そのため、出力される香りの実際の香りとしては、グレープフルーツやレモンなどの柑橘系およびペパーミントやスペアミントなどの薄荷系などであることが望ましい。また、香り成分を噴射するときには、刺激性が小さい柑橘系の香りを低い濃度で出力し、徐々に薄荷系または清涼系の強い香りとなるように濃度を高くすることが出来る。これにより、出力した香りが空気の流れによって緩やかに伝わるため、ユーザに与えるストレスを抑えながら脳を覚醒させるという効果が期待できる。この場合、ユーザは、起きる準備時間を得ることが出来るため、快適に起床することが出来る。
【０１００】
一般的に、香りによる心理的効果はユーザがどの種類の香りに敏感かによって左右される。そのため、本実施例では、ユーザに合わせて香りの種類および濃度を調整しながら香りを出力することが出来る。
【０１０１】
なお、他の実施例では、濃度の変化は直線的なものだけなく、曲線的なもの（指数関数的な変化）であってもよい。たとえば、香りが出力されたときの初期段階では、香り成分の濃度は緩やかに変化し、最終段階になってから濃度が急激に変換するようにしてもよい。逆に、初期段階で香り成分の濃度を急激に変化させた後は、濃度が緩やかに変化するようにしてもよい。
【０１０２】
図１９を参照して、上述した噴射タスクテーブルには噴射タスクのタスク項目と対応する、トリガ、設定時刻、噴射ＩＤ、繰り返しおよび有効／無効の列が含まれる。また、噴射タスクテーブルにおける１つの行が、１つの噴射タスクを示す。また、本実施例では、設定時刻に噴射ＩＤなどを対応付けたものを噴射タスクとする。そして、香り時計１００は有効に設定された噴射タスクに基づいて、香りを出力する処理を実行する。
【０１０３】
トリガの欄には、香り成分を出力するきっかけとなるイベントを示す情報が記憶される。たとえば、トリガの欄にイベントとして「時刻指定」が記憶されている場合は、設定時刻に達したときに香り成分が噴射されることを示す。また、設定時刻の欄には、香り成分を噴射する設定時刻が記憶される。
【０１０４】
噴射ＩＤの欄には噴射ＩＤが記憶される。繰り返しの欄には、噴射タスクを繰り返して
利用するか否かを示す情報が記憶される。たとえば、繰り返しの欄に「オフ」が記憶されている場合は、対応する噴射タスクは繰り返して利用されないことを示す。一方、繰り返しの欄に「オン」が記憶されている場合は、対応する噴射タスクの設定時刻に達する度に香り成分が噴射されることを示す。
【０１０５】
有効／無効の欄には、噴射タスクが有効であるか否かを示す情報が記憶される。たとえば、有効／無効の欄に「オン」が記憶されている場合は、対応する噴射タスクの設定時刻に達したときに、香りを出力する処理が実行される。一方、有効／無効の欄に「オフ」が記憶されている場合は、対応する噴射タスクの設定時刻に達したとしても、香りを出力する処理は実行されない。
【０１０６】
たとえば、図２０を参照して、図１９に示す噴射タスクの設定時刻（６時３０分）に達すると、噴射ＩＤ「０００００２」の噴射パターンに基づいて、香り成分が噴射される。このとき、情報処理装置４のディスプレイには、香り成分が噴射されているときの日時情報（たとえば、「２０１４年９月２８日（日）６時３０分」）と、設定されている状態（たとえば、「起床」）とを含む、噴射画面が表示される。また、この噴射画面には、図１８（Ｂ）に示す噴射ＩＤ「０００００２」の噴射パターンを視覚的に表す画像も含まれる。そして、ユーザは、噴射画面を確認することで、出力されている香りの濃度の変化を直感的に把握することが出来る。
【０１０７】
図２１を参照して、上述した噴射履歴テーブルには、噴射日時、季節、時間帯、天気および噴射ＩＤの列が含まれる。噴射日時の欄には、香りが出力されたときの日時（たとえば、「201409272300（２０１４年９月２７日２３時００分）」）が記憶される。また、１つの噴射履歴は、この噴射日時に対応付けて同一の行に記憶される。つまり、噴射履歴テーブルにおける１つの行が、噴射日時によって示される１つの噴射履歴を示す。
【０１０８】
季節の欄には、噴射日時に基づいて決められる春・夏・秋・冬のいずれかの季節が記憶される。本実施例では、噴射日時が示す月が、３−５月であれば春、６−８月であれば夏、９−１１月であれば秋、１２，１，２月であれば冬と判断される。
【０１０９】
時間帯の欄には、噴射日時に基づいて決められる朝・昼・夜のいずれかの時間帯が記憶される。本実施例では、噴射日時が示す時刻が、６−１１時であれば朝、１２−１８時であれば昼、１９−２４時,０−５時であれば夜と判断される。
【０１１０】
天気の欄には、香りが出力されたときの天気が記憶される。本実施例では、ＧＰＳ機能によって測位された位置情報などに基づいて香りが出力された地域を特定し、特定した地域の天気情報がネットワークを介して取得される。そして、天気の欄には取得された天気情報に基づいて天気（たとえば、「晴」）が記憶される。
【０１１１】
噴射ＩＤの欄には、香り成分を噴射するときに利用された噴射パターンの噴射ＩＤが記憶される。
【０１１２】
たとえば、図１９に示す噴射タスクに基づいて香りが出力された場合、噴射時刻が「201409272300」、季節が「秋」、時間帯が「朝」、天気が「曇」および噴射ＩＤが「０００００２」の噴射履歴が作成され、その噴射履歴が噴射履歴テーブルに追加される。
【０１１３】
なお、季節の判断は、香り時計が利用される国または地域によって変化してもよい。たとえば、南半球の地域では、北半球の地域とは逆の季節となる。そのため、他の実施例では、ＧＰＳ機能によって測位された位置情報などに基づいて、季節を判断する基準が変更される。
【０１１４】
また、時間帯の判断は、季節よって変化してもよい。たとえば、その他の実施例では、季節が夏であれば昼と判断される時間帯が長くなるように設定され、夜と判断される時間帯が短くなるように設定される。一方、季節が冬であれば昼と判断される時間帯が短くなるように設定され、夜と判断される時間帯が長くなるように設定される。
【０１１５】
また、位置情報は、情報処理装置４に事前に登録されていてもよい。たとえば、ユーザは、地図データを利用して香り時計１００を利用する位置を指定することで、位置情報を事前に登録することが出来る。
【０１１６】
ここで、ユーザは、情報処理装置４を利用して、噴射パターンを設定して、噴射タスクを作成することが出来る。つまり、ユーザは、任意の設定時刻において、任意の香りが出力されるようにすることが出来る。また、他の実施例では、ユーザは設定した噴射パターンや、作成した噴射タスクを再編集することが出来てもよい。この場合、ユーザは、噴射パターンの設定および噴射タスクの作成を容易に行うことが出来る。
【０１１７】
また、ユーザは、新しい噴射タスクを作成する際に、噴射履歴テーブルの内容を参考にすることも出来る。
【０１１８】
上述では本実施例の特徴を概説した。以下では、図２２に示す情報処理装置４のメモリ４０２のメモリマップおよび図２３、図２４に示すフロー図を用いて本実施例について詳細に説明する。
【０１１９】
図２２は情報処理装置４のメモリ４０２のメモリマップの一例を示す図解図である。図２２に示すように、メモリ４０２はプログラム記憶領域５０２およびデータ記憶領域５０４を含む。プログラム記憶領域５０２には、情報処理装置４を動作させるためのプログラムとして、噴射パターンを設定し、噴射タスクを作成するための噴射タスク作成プログラム５１０および作成された噴射タスクに従って香りを出力させるための噴射タスク管理プログラム５１２などが記憶される。なお、図示は省略するが、情報処理装置４を動作させるためのプログラムには、情報処理装置４の基本動作を制御するためのプログラムなども含まれる。
【０１２０】
データ記憶領域５０４には、時刻バッファ５３０、噴射パターンバッファ５３２、噴射タスクバッファ５３４および環境情報バッファ５３６などが設けられる。
【０１２１】
時刻バッファ５３０には、ＲＴＣ４００ａから出力される時刻情報が一時的に記憶される。噴射パターンバッファ５３２には、設定中の噴射パターンの各パターン項目（たとえば、噴射種類や、アロマコードなど）が一時的に記憶される。噴射タスクバッファ５３４には、作成中の噴射タスクの各タスク項目（たとえば、設定時刻など）が一時的に記憶される。環境情報バッファ５３６には、香りが出力されたときの噴射日時、季節、時間帯および天気などが一時的に記憶される。
【０１２２】
なお、図示は省略するが、データ記憶領域５０４には、噴射画面を表示するためのデータや、様々な計算の結果を一時的に格納するバッファや、情報処理装置４の動作に必要な他のカウンタやフラグなども設けられる。
【０１２３】
情報処理装置４のプロセッサ４００は、Ｌｉｎｕｘ（登録商標）ベースのＯＳや、その他のＯＳの制御下で、図２３に示す噴射タスク作成処理および図２４に示す噴射タスク管理処理などを含む、複数のタスクを処理する。
【０１２４】
図２３は噴射タスク作成処理のフロー図である。たとえば、噴射タスクを作成する機能を実行する操作がされると、噴射タスク作成処理が実行される。噴射タスク作成処理が実行されると、プロセッサ４００はステップＳ１で、パターン項目が入力されたかを判断する。たとえば、状態、噴射種類、アロマコード、噴射時間、濃度、パターンおよび噴射の各パターン項目が、情報処理装置４の入力装置４１２を利用して入力され、その入力を確定させる操作がされたかが判断される。なお、入力中のパターン項目は、噴射パターンバッファ５３２に記憶される。
【０１２５】
ステップＳ１で“ＮＯ”であれば、たとえば入力されたパターン項目を確定させる操作がされなければ、プロセッサ４００はステップＳ１の処理を繰り返す。一方、ステップＳ１で“ＹＥＳ”であれば、たとえば入力されたパターン項目を確定させる操作がされると、ステップＳ３でプロセッサ４００は、パターン項目に基づいて噴射パターンを作成する。たとえば、パターン項目として、状態が「起床」、噴射種類が「３」、アロマコードが「２，３，４，５」、噴射時間が「１２０秒」、濃度が「８０」、パターンが「弱く」および噴射が「連続」と入力された場合、図１７に示すように、噴射ＩＤ「０００００２」の噴射パターンが設定される。ここで、新たに追加される噴射パターンの噴射ＩＤは、噴射パターンテーブルに記憶されている最新の噴射パターンの噴射ＩＤに基づいて決められる。たとえば、最新の噴射パターンの噴射ＩＤが「０００００１」である場合、新たに追加される噴射パターンの噴射ＩＤは、最新の噴射パターンの噴射ＩＤに対して「１」を加えた（インクリメントされた）噴射ＩＤとなる。また、噴射パターンが登録されていない場合は、最初の噴射パターンであることを示す「０００００１」が噴射ＩＤとされる。
【０１２６】
そして、設定された噴射パターンは、噴射パターンテーブルに追加される。なお、ステップＳ３の処理を実行するプロセッサ４００は設定手段として機能する。
【０１２７】
続いて、ステップＳ５でプロセッサ４００は、設定時刻が設定されたか否かを判断する。つまり、香りを出力する設定時刻が設定されたかが判断される。ステップＳ５で“ＮＯ”であれば、たとえば設定時刻を確定させる操作がされていなければ、プロセッサ４００はステップＳ５の処理を繰り返す。一方、ステップＳ５で“ＹＥＳ”であれば、たとえば入力された設定時刻を確定させる操作がされると、ステップＳ７でプロセッサ４００は、噴射パターンと設定時刻とを対応付けて噴射タスクを作成する。また、作成された噴射タスクは、噴射タスクバッファ５３４に記憶される。
【０１２８】
続いて、ステップＳ９でプロセッサ４００は、繰り返しが有効にされたか否かを判断する。つまり、作成された噴射タスクを繰り返す設定がされたかが判断される。ステップＳ９で“ＮＯ”であれば、つまり噴射タスクを繰り返す設定がされなければ、プロセッサ４００は噴射タスクにおける繰り返しのタスク項目を「オフ」にし、ステップＳ１３の処理に進む。
【０１２９】
一方、ステップＳ９で“ＹＥＳ”であれば、たとえば噴射タスクを繰り返す設定がされると、ステップＳ１１でプロセッサ４００は、作成した噴射タスクの繰り返しをオンに設定する。つまり、噴射タスクにおける繰り返しのタスク項目が「オン」にされる。
【０１３０】
続いて、ステップＳ１３でプロセッサ４００は、作成した噴射タスクを有効に設定する。つまり、噴射タスクの有効／無効のタスク項目が「有効」にされる。これは、作成した噴射タスクが利用されない可能性は極めて低いため、本実施例では自動的に噴射タスクの有効／無効のタスク項目が「有効」にされる。ただし、他の実施例では、有効にするか否かを確認した後、このタスク項目に対して「有効」または「無効」が設定されてもよい。
【０１３１】
ステップＳ１３の処理が終了すると、噴射タスクバッファ５３４に記憶される噴射タス
クが噴射タスクテーブルに登録され、プロセッサ４００は噴射タスク作成処理を終了する。
【０１３２】
図２４は噴射タスク管理処理のフロー図である。たとえば、情報処理装置４の電源がオンにされると、噴射タスク管理処理が実行される。
【０１３３】
噴射タスク管理処理が実行されると、プロセッサ４００はステップＳ３１で、現在時刻が設定時刻と一致するか否かを判断する。つまり、時刻バッファ５３０に記憶されている現在時刻が読み出され、噴射タスクテーブルの設定時刻の列において一致する時刻が記憶されているかが判断される。ステップＳ３１で“ＮＯ”であれば、つまり現在時刻と一致する設定時刻が記憶されていなければ、プロセッサ４００はステップＳ３１の処理を繰り返す。
【０１３４】
ステップＳ３１で“ＹＥＳ”であれば、つまり現在時刻と一致する設定時刻を含む噴射タスクがあれば、ステップＳ３３でプロセッサ４００は、現在時刻と一致する設定時刻を含む噴射タスクを取得する。たとえば、現在時刻が６時３０分であれば、図１９に示す噴射タスクが取得される。続いて、ステップＳ３５でプロセッサ４００は、取得された噴射タスクが有効か否かを判断する。つまり、取得された噴射タスクにおいて、有効／無効のタスク項目に有効が記憶されているかが判断される。ステップＳ３５で“ＮＯ”であれば、つまり取得された噴射タスクが有効でなければ、プロセッサ４００はステップＳ３１の処理に戻る。
【０１３５】
一方、ステップＳ３５で“ＹＥＳ”であれば、つまり取得された噴射タスクが有効であれば、ステップＳ３７でプロセッサ４００は、取得した噴射タスクに基づいて噴射パターンを取得する。たとえば、図１９に示す噴射タスクが取得されている場合、噴射ＩＤ「０００００２」の噴射パターンが、噴射パターンテーブルから取得される。
【０１３６】
続いて、ステップＳ３９でプロセッサ４００は、噴射パターンに基づいて指示信号および制御信号を出力する。たとえば、図１７に示す噴射ＩＤ「０００００２」の噴射パターンが示すように香りが出力されるよう、指示信号および制御信号が嗅覚ディスプレイ１０に出力される。また、これらの信号が出力されると、情報処理装置４のディスプレイには図２０に示すような噴射画面が表示される。
【０１３７】
続いて、ステップＳ４１でプロセッサ４００は、繰り返しが設定されているか否かを判断する。つまり、取得した噴射タスクにおいて繰り返しのタスク項目が「オン」にされているかが判断される。ステップＳ４１で“ＹＥＳ”であれば、つまり繰り返しのタスク項目が「オン」であれば、プロセッサ４００はステップＳ４５の処理に進む。一方、ステップＳ４１で“ＮＯ”であれば、つまり繰り返しのタスク項目が「オフ」であれば、ステップＳ４３でプロセッサ４００は、取得された噴射タスクを無効に切り替える。つまり、取得された噴射タスクが繰り返されないようにするために、繰り返しのタスク項目が「オフ」にされる。
【０１３８】
続いて、ステップＳ４５でプロセッサ４００は、環境情報を取得する。つまり、時刻バッファ５３０に記憶される時刻情報から噴射日時を取得し、その噴射日時から季節および時間帯が取得される。また、位置情報に基づいて、ネットワーク上に公開されている現在位置の天気情報が取得される。そして、取得されたこれらの情報が環境情報として環境情報バッファ５３６に記憶される。続いて、ステップＳ４７でプロセッサ４００は、噴射履歴を作成する。つまり、環境情報バッファ５３６に記憶される環境情報と、取得された噴射タスクの噴射ＩＤとに基づいて噴射履歴が作成される。続いて、ステップＳ４９でプロセッサ４００は、作成した噴射履歴を噴射履歴テーブルに追加する。たとえば、図１９に
示す噴射タスクに基づいて香りが出力された場合は、図２１に示すような噴射履歴が追加される。
【０１３９】
そして、ステップＳ４９の処理が終了すると、プロセッサ４００はステップＳ３１の処理に戻る。
【０１４０】
＜第２実施例＞
第２実施例では、ユーザが就寝しようとしている入眠前の状態（以下、入眠前状態と言う。）を検出し、入眠前状態を検出したときに香りを出力する。また、第２実施例の情報処理装置４には、ノート型ＰＣではなくタブレット端末が採用される。なお、嗅覚ディスプレイ１０の外観や構造などは第１実施例と略同じであるため、詳細な説明は省略する。
【０１４１】
図２５および図２６を参照して、第２実施例の香り時計１００では、情報処理装置４と嗅覚ディスプレイ１０とは有線接続されておらず、無線通信を行う。また、ユーザが利用する枕には圧力センサ６０４（図２９参照）などを備える入眠前状態検出装置６が内蔵されている。そして、情報処理装置４は、この入眠前状態検出装置６とも無線通信を行う。
【０１４２】
図２７は第２実施例の嗅覚ディスプレイ１０の制御回路２００の一例を示す図解図である。図２７を参照して、第２実施例の制御回路２００では、プロセッサ２０２には、Ｉ／Ｆ２０６に代えて無線通信モジュール２１０が接続される。無線通信モジュール２１０は、Ｂｌｕｅｔｏｏｔｈ（登録商標）方式などの近距離無線通信の技術を用いて通信を行うためのモジュールであり、情報処理装置４から送信された指示信号および制御信号を受信して、プロセッサ２０２に与える。
【０１４３】
なお、第２実施例の制御回路２００は、プロセッサ２０２に無線通信モジュール２１０が接続される以外は、第１実施例と略同じものがプロセッサ４００に接続される。
【０１４４】
図２８は第２実施例の情報処理装置４の電気的な構成を示すブロック図である。図２８を参照して、第２実施例の情報処理装置４のプロセッサ４００には、通信ＬＡＮボード４０６に代えて無線通信モジュール４２０が接続される。無線通信モジュール４２０は、上述した制御回路２００のプロセッサ２０２と接続される無線通信モジュール２１０と略同じ機能を有しており、指示信号および制御信号を送信する。また、第２実施例の情報処理装置４には、嗅覚ディスプレイ１０は直接接続されていないため、図２８では嗅覚ディスプレイ１０は図示されない。
【０１４５】
なお、第２実施例の情報処理装置４は、プロセッサ４００に無線通信モジュール４２０が接続される以外は、第１実施例と略同じである。
【０１４６】
図２９は入眠前状態検出装置６の電気的な構成の一例を示すブロック図である。図２９を参照して、入眠前状態検出装置６は検出手段として機能し、プロセッサ６００などを含む。このプロセッサ６００には、メモリ６０２、圧力センサ６０４および無線通信モジュール６０６などが接続される。
【０１４７】
プロセッサ６００は入眠前状態検出装置６の動作を制御する。メモリ６０２は、ＲＯＭおよびＲＡＭを含む。ＲＯＭには、入眠前状態検出装置６の動作を制御するための制御プログラムなどが予め記憶されている。また、ＲＡＭは、プロセッサ６００のワーキングメモリや、バッファメモリとして用いられる。
【０１４８】
圧力センサ６０４は、たとえば抵抗線式の圧力センサであり、枕に頭が置かれたときに圧力を検出するよう枕に内蔵されている。なお、他の実施例では、面圧を検出可能なシー
トセンサなどが、圧力センサとして採用されてもよい。また、無線通信モジュール４２０は、上述した無線通信モジュール２１０および無線通信モジュール４２０と略同じ機能を有しており、後述する圧力信号を情報処理装置４に対して送信する。
【０１４９】
入眠前状態検出装置６のプロセッサ６００は、圧力センサ６０４によって圧力が検出されるとユーザが枕に頭を置き、入眠前状態だと判断する。このとき、プロセッサ６００は、無線通信モジュール６０６を介して圧力信号を情報処理装置４に対して送信する。このように、第２実施例では、圧力センサ６０４を利用してユーザの入眠前状態を検出する。
【０１５０】
図３０は第２実施例の噴射タスクテーブルの構成の一例を示す図解図である。第２実施例の噴射タスクでは、トリガのタスク項目として「圧力センサ」が設定可能である。たとえば、トリガの欄にイベントして「圧力センサ」が記憶されている場合は、入眠前状態検出装置６の圧力センサ６０４を利用して入眠前状態が検出され、情報処理装置４が圧力信号を受信したときに香り成分が噴射されることを示す。なお、トリガの欄に「圧力センサ」が記憶される場合、設定時刻の欄には設定時刻は記憶されない。
【０１５１】
このように、第２実施例では、ユーザの入眠前状態を検出することで、適切なタイミングで香りを出力することが出来る。
【０１５２】
なお、他の実施例では、圧力センサに代えて脳波計や、心拍計、カメラなどの様々なセンサ、または入眠推定装置などを入眠の検出に利用してもよい。たとえば、他の実施例で脳波計が利用された場合、脳波計によって入眠前の脳波が計測されたときに、嗅覚ディスプレイ１０から香りが出力される。
【０１５３】
また、第２実施例では、情報処理装置４はいわゆるスマートフォンであってもよい。この場合、季節、時間帯および天気などの履歴情報は、スマートフォンにインストールされているアプリケーションを利用して取得されてもよい。
【０１５４】
また、他の実施例では、入眠前状態検出装置６に代えて、ＺｉｇＢｅｅ（登録商標）方式の無線通信に対応した小型の無線通信モジュールなどを取り付けた圧力センサ６０４が採用されてもよい。
【０１５５】
また、その他の実施例では、情報処理装置４、入眠前状態検出装置６および嗅覚ディスプレイ１０が行う近距離無線通信には、ＺｉｇＢｅｅ方式などが採用されてもよい。
【０１５６】
上述では第２実施例の特徴を概説した。以下では、図３１に示すメモリマップおよび図３２、図３３に示すフロー図を用いて詳細に説明する。
【０１５７】
図３１を参照して、第２実施例のデータ記憶領域５０４には、第１実施例のバッファおよびデータなどに対して、無線通信によって受信した圧力信号などが一時的に記憶される無線通信バッファ５３８がさらに設けられる。
【０１５８】
図３２は第２実施例の噴射タスク作成処理のフロー図である。なお、第１実施例の噴射タスク作成処理で実行される処理（ステップ）と略同等のものについては、第１実施例と同じステップ番号を付し、詳細な説明を省略する。
【０１５９】
ステップＳ１でプロセッサ４００は、パターン項目が入力されたか否かを判断する。ステップＳ１で“ＮＯ”であれば、つまりパターン項目が入力されていなければ、プロセッサ４００はステップＳ１の処理を繰り返す。一方、ステップＳ１で“ＹＥＳ”であれば、つまりパターン項目が入力されると、ステップＳ３でプロセッサ４００は、パターン項目
に基づいて噴射パターンを設定する。続いて、ステップＳ５で設定時刻が設定されたか否かを判断する。ステップＳ５で“ＹＥＳ”であれば、つまり設定時刻が設定されると、ステップＳ７でプロセッサ４００は、噴射パターンと設定時刻とを対応付けて噴射タスクを作成する。そして、ステップＳ７の処理が終了すると、プロセッサ４００はステップＳ９の処理に進む。
【０１６０】
一方、ステップＳ５で“ＮＯ”であれば、つまり設定時刻が設定されなければ、ステップＳ６１でプロセッサ４００は、「圧力センサ」がトリガに設定されたか否かを判断する。つまり、入眠前状態検出装置６で入眠前状態が検出されたときに香りが出力されるように設定されたかが判断される。ステップＳ６１で“ＮＯ”であれば、つまり入眠前状態検出装置６で入眠前状態が検出されたときに香りが出力されるように設定されなければ、プロセッサ４００はステップＳ５の処理に戻る。一方、ステップＳ６１で“ＹＥＳ”であれば、入眠前状態検出装置６で入眠前状態が検出されたときに香りが出力されるように設定されると、ステップＳ６３でプロセッサ４００は、トリガを「圧力センサ」とする噴射タスクを作成する。たとえば、図３０に示すような、トリガが「圧力センサ」とされた噴射タスクが作成される。また、作成された噴射タスクは噴射タスクバッファ５３４に記憶される。そして、ステップＳ６３の処理が終了すると、プロセッサ４００はステップＳ９の処理に進む。
【０１６１】
なお、ステップＳ９以降の処理については第１実施例と略同じであるため、ステップＳ９以降の処理については詳細な説明を省略する。
【０１６２】
図３３は第２実施例の噴射タスク管理処理のフロー図である。なお、第１実施例の噴射タスク作成処理で実行される処理（ステップ）と略同等のものについては、第１実施例と同じステップ番号を付し、詳細な説明を省略する。
【０１６３】
ステップＳ３１でプロセッサ４００は、現在時刻と設定時刻とが一致するか否かを判断する。ステップＳ３１で“ＹＥＳ”であれば、つまり現在時刻と設定時刻とが一致すれば、ステップＳ３３でプロセッサ４００は、現在時刻と一致する設定時刻を含む噴射タスクを取得する。そして、ステップＳ３３の処理が終了すると、プロセッサ４００はステップＳ３５の処理に進む。
【０１６４】
一方、ステップＳ３１で“ＮＯ”であれば、つまり現在時刻と設定時刻とが一致していなければ、ステップＳ８１でプロセッサ４００は、圧力信号を受信したか否かを判断する。つまり、入眠前状態検出装置６によってユーザの入眠前状態が検出されたかが判断される。ステップＳ８１で“ＮＯ”であれば、つまり入眠前状態が検出されず、圧力信号が受信されなければ、プロセッサ４００はステップＳ４１の処理に戻る。
【０１６５】
ステップＳ８１で“ＹＥＳ”であれば、つまり入眠前状態が検出されることによって、圧力信号が受信されていれば、ステップＳ８３でステップＳ４００は、トリガが「圧力センサ」の噴射タスクがあるか否かを判断する。つまり、トリガのタスク項目において「圧力センサ」が設定されている噴射タスクが噴射タスクテーブルに記憶されているかが判断される。ステップＳ８３で“ＮＯ”であれば、つまりトリガのタスク項目に「圧力センサ」が設定されている噴射タスクが無ければ、プロセッサ４００はステップＳ３１の処理に戻る。
【０１６６】
ステップＳ８３で“ＹＥＳ”であれば、つまりトリガのタスク項目に「圧力センサ」が設定されている噴射タスクあれば、ステップＳ８５でプロセッサ４００は、トリガのタスク項目が「圧力センサ」の噴射タスクを取得する。たとえば、噴射タスクテーブルから、トリガのタスク項目に「圧力センサ」が設定されている噴射タスクが読み出される。そし
て、ステップＳ８５の処理が終了すれば、プロセッサ４００はステップＳ３５の処理に進む。また、ステップＳ３５以降の処理については第１実施例と略同じであるため、ステップＳ３５以降の処理については詳細な説明を省略する。
【０１６７】
なお、他の実施例では、噴射タスクテーブルの内容が噴射パターンテーブルに統合されてもよい。
【０１６８】
また、状態のパターン項目には、ユーザが仕事（勉強）を行うときに設定される「仕事（勉強）」や、勉強などの合間にとられる「休憩」などが記憶されてもよい。また、状態が「仕事」に設定されている場合、出力される香りの実際の香りとしては、集中力を高める効果が期待できるレモングラスやベルガモットなどであることが望ましい。一方、状態が「休憩」に設定されている場合、出力される香りの実際の香りとしては、ヒノキやローズマリーなどのリラックス系の香りであることが望ましい。
【０１６９】
また、その他の実施例では、アロマパターンＤＢ４０４はサーバに記憶されていてもよい。この場合、情報処理装置４は、ネットワークを介してサーバからアロマパターンＤＢ４０４のデータを取得する。
【０１７０】
また、さらにその他の実施例では、香り時計１００が所定時間（たとえば、１時間）毎に異なる香りを出力するようにしてもよい。これにより、寝室や玄関などの単一の物理空間において、香りを変化させることで様々なイメージを持った空間を形成することが出来る。たとえば、朝の時間帯では「爽やかな香り」で玄関を「オンモード」の空間にし、夕方の時間帯には「安らぎの香り」で玄関を「オフモード」の空間にすることが出来る。
【０１７１】
また、トイレなどでマスキングの効果を得るために香りを用いる場合、１種類の香りでは人の嗅覚細胞が順応（または、疲労）を起こしてしまい、香りが分からなくなることがある。ところが、上記の香り時計１００を利用すれば、上述のような嗅覚順応を考慮し、所定時間毎に異なる香りを出力することが出来る。
【０１７２】
また、他の実施例では、設定時刻において香りの出力が終了するように、嗅覚ディスプレイ１０が制御されてもよい。
【０１７３】
また、情報処理装置４と嗅覚ディスプレイ１０とが、１つの装置として構成されてもよい。また、第２実施例では、入眠前状態検出装置６に圧力センサ６０４とは別のセンサが接続されている場合、可能であれば情報処理装置４と嗅覚ディスプレイ１０と入眠前状態検出装置６とが１つの装置として構成されてもよい。
【０１７４】
また、本実施例で説明した複数のプログラムは、データ配信用のサーバのHDDに記憶さ
れ、ネットワークを介して本実施例と同等の構成の香り時計１００（情報処理装置４）に配信されてもよい。また、CD, DVD, BD (Blu-ray（登録商標） Disc)などの光学ディスク、USBメモリおよびメモリカードなどの記憶媒体にこれらのプログラムを記憶させた状態
で、その記憶媒体が販売または配布されてもよい。そして、上記したサーバや記憶媒体などを通じてダウンロードされた、上記複数のプログラムが、本実施例と同等の構成のシステムに適用された場合、本実施例と同等の効果が得られる。
【０１７５】
そして、本明細書中で挙げた、具体的な数値は、いずれも単なる一例であり、製品の仕様変更などに応じて適宜変更可能である。
【符号の説明】
【０１７６】
４  …情報処理装置
６  …入眠前状態検出装置
１０  …嗅覚ディスプレイ
１４  …香源カートリッジ
２４  …カートリッジ収容室
２６  …風力源
５６  …圧電素子
７６  …補助風力源
１００  …香り時計
２００  …制御回路
４００  …プロセッサ
４０２  …メモリ
４０４  …アロマパターンデータベース
６０４  …圧力センサ
【図１】
2019194601.tif 000003
【図２】
2019194601.tif 000004
【図３】
2019194601.tif 000005
【図４】
2019194601.tif 000006
【図５】
2019194601.tif 000007
【図６】
2019194601.tif 000008
【図７】
2019194601.tif 000009
【図８】
2019194601.tif 000010
【図９】
2019194601.tif 000011
【図１０】
2019194601.tif 000012
【図１１】
2019194601.tif 000013
【図１２】
2019194601.tif 000014
【図１３】
2019194601.tif 000015
【図１４】
2019194601.tif 000016
【図１５】
2019194601.tif 000017
【図１６】
2019194601.tif 000018
【図１７】
2019194601.tif 000019
【図１８】
2019194601.tif 000020
【図１９】
2019194601.tif 000021
【図２０】
2019194601.tif 000022
【図２１】
2019194601.tif 000023
【図２２】
2019194601.tif 000024
【図２３】
2019194601.tif 000025
【図２４】
2019194601.tif 000026
【図２５】
2019194601.tif 000027
【図２６】
2019194601.tif 000028
【図２７】
2019194601.tif 000029
【図２８】
2019194601.tif 000030
【図２９】
2019194601.tif 000031
【図３０】
2019194601.tif 000032
【図３１】
2019194601.tif 000033
【図３２】
2019194601.tif 000034
【図３３】
2019194601.tif 000035
【手続補正書】
【提出日】令和1年6月27日(2019.6.27)
【手続補正１】
【補正対象書類名】明細書
【補正対象項目名】０００８
【補正方法】変更
【補正の内容】
【０００８】
第１の発明は、複数のカートリッジ装着場所の各々へ香源を含むカートリッジを装着し、複数のカートリッジ装着場所に個別的に対応して設けられた複数の風力源を備え、風力源によってその風力源に対応するカートリッジ内の香源から香り成分を噴射させることによって香りを出力する嗅覚ディスプレイを用いる香り時計であって、噴射パターンテーブルを記憶する第１記憶手段を備え、噴射パターンテーブルは、少なくとも１つの噴射ＩＤを有し、噴射ＩＤに対応して、少なくとも香り成分を示すアロマコードおよびアロマコードが示す香り成分を噴射する時間を示す噴射時間を設定し、さらに少なくとも設定時刻と噴射ＩＤを設定している噴射タスクテーブルを記憶する第２記憶手段、現在時刻が噴射タスクテーブルの設定時刻と一致するかどうか判断する判断手段、および判断手段が現在時刻が噴射タスクテーブルの設定時刻と一致したと判断したとき、噴射タスクテーブルの噴射ＩＤに基づいて、噴射パターンテーブルにおいて該当する噴射ＩＤが示すアロマコードが示す香り成分を、噴射時間だけ噴射させるように、風力源を制御する制御手段を備える、香り時計である。
【手続補正２】
【補正対象書類名】明細書
【補正対象項目名】０００９
【補正方法】変更
【補正の内容】
【０００９】
第１の発明では、香り時計（１００：実施例において対応する部分を例示する参照符号。以下、同じ。）の嗅覚ディスプレイ（１０）は、複数のカートリッジ装着場所に個別的に対応して設けられた複数の風力源を備え、風力源によってその風力源に対応するカートリッジ内の香源から香り成分を噴射させることによって香りを出力する。たとえば、嗅覚ディスプレイは、指示信号を受信すると、該当する風力源を駆動して各カートリッジ内の香源から香り成分を噴射させることによって複数の香りを出力する。第１記憶手段（５３２）は、少なくとも１つの噴射ＩＤを有し、噴射ＩＤに対応して、少なくとも香り成分を示すアロマコードおよびアロマコードが示す香り成分を噴射する時間を示す噴射時間を設定している噴射パターンテーブルを記憶し、第２記憶手段（５３４）は、少なくとも設定時刻と噴射ＩＤを設定している噴射タスクテーブルを記憶する。判断手段（４００，Ｓ３１）が現在時刻が噴射タスクテーブルの設定時刻と一致したと判断したとき、制御手段（４００，Ｓ３９）は、噴射タスクテーブルの噴射ＩＤに基づいて、噴射パターンテーブルにおいて該当する噴射ＩＤが示すアロマコードが示す香り成分を、噴射時間だけ噴射させるように、風力源を制御する。
【手続補正３】
【補正対象書類名】明細書
【補正対象項目名】００１０
【補正方法】変更
【補正の内容】
【００１０】
第１の発明によれば、１以上の噴射パターンテーブルを第１記憶手段に設定しておけば、その噴射パターンテーブルを選択するだけで、ユーザに合わせた噴射タスクテーブルを容易に設定することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
第２の発明は、第１の発明に従属し、噴射パターンテーブルは、１つの噴射ＩＤについて、複数のアロマコードと複数のアロマコードの各々が示す香り成分を噴射する時間を示す複数の噴射時間を時間を設定し、制御手段は、判断手段が現在時刻が噴射タスクテーブルの設定時刻と一致したと判断したとき、噴射タスクテーブルの噴射ＩＤに基づいて、噴射パターンテーブルにおいて該当する噴射ＩＤが示す複数のアロマコードが示す複数の香り成分を、順次、対応して設定されている噴射時間だけ噴射させるように、複数の風力源を制御する、香り時計である。
【手続補正６】
【補正対象書類名】明細書
【補正対象項目名】００１３
【補正方法】変更
【補正の内容】
【００１３】
第３の発明は、複数のカートリッジ装着場所の各々へ香源を含むカートリッジを装着し、複数のカートリッジ装着場所に個別的に対応して設けられた複数の風力源を備え、風力源によってその風力源に対応するカートリッジ内の香源から香り成分を噴射させることによって香りを出力する嗅覚ディスプレイを用い、さらに噴射パターンテーブルを記憶する第１記憶手段を備え、噴射パターンテーブルは、少なくとも１つの噴射ＩＤを有し、噴射ＩＤに対応して、少なくとも香り成分を示すアロマコードおよびアロマコードが示す香り成分を噴射する時間を示す噴射時間を設定し、さらに少なくとも設定時刻と噴射ＩＤを設定している噴射タスクテーブルを記憶する第２記憶手段を備える香り時計のコンピュータによって実行される香り時計プログラムであって、コンピュータを、現在時刻が噴射タスクテーブルの設定時刻と一致するかどうか判断する判断手段、および判断手段が現在時刻が噴射タスクテーブルの設定時刻と一致したと判断したとき、噴射タスクテーブルの噴射ＩＤに基づいて、噴射パターンテーブルにおいて該当する噴射ＩＤが示すアロマコードが示す香り成分を、噴射時間だけ噴射させるように、風力源を制御する制御手段として機能させる、香り時計プログラムである。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
この発明によれば、ユーザに合わせた噴射タスクテーブルを容易に設定することができる。
【手続補正１９】
【補正対象書類名】特許請求の範囲
【補正対象項目名】全文
【補正方法】変更
【補正の内容】
【特許請求の範囲】
【請求項１】
複数のカートリッジ装着場所の各々へ香源を含むカートリッジを装着し、前記複数のカートリッジ装着場所に個別的に対応して設けられた複数の風力源を備え、前記風力源によってその風力源に対応するカートリッジ内の香源から香り成分を噴射させることによって香りを出力する嗅覚ディスプレイを用いる香り時計であって、
噴射パターンテーブルを記憶する第１記憶手段を備え、前記噴射パターンテーブルは、少なくとも１つの噴射ＩＤを有し、前記噴射ＩＤに対応して、少なくとも前記香り成分を示すアロマコードおよび前記アロマコードが示す前記香り成分を噴射する時間を示す噴射時間を設定し、さらに
少なくとも設定時刻と噴射ＩＤを設定している噴射タスクテーブルを記憶する第２記憶手段、
現在時刻が前記噴射タスクテーブルの設定時刻と一致するかどうか判断する判断手段、および
前記判断手段が現在時刻が前記噴射タスクテーブルの設定時刻と一致したと判断したとき、前記噴射タスクテーブルの前記噴射ＩＤに基づいて、前記噴射パターンテーブルにおいて該当する噴射ＩＤが示すアロマコードが示す香り成分を、前記噴射時間だけ噴射させるように、前記風力源を制御する制御手段を備える、香り時計。
【請求項２】
前記噴射パターンテーブルは、１つの前記噴射ＩＤについて、複数の前記アロマコードと前記複数のアロマコードの各々が示す香り成分を噴射する時間を示す複数の前記噴射時間を時間を設定し、
前記制御手段は、前記判断手段が現在時刻が前記噴射タスクテーブルの設定時刻と一致したと判断したとき、前記噴射タスクテーブルの前記噴射ＩＤに基づいて、前記噴射パターンテーブルにおいて該当する噴射ＩＤが示す前記複数のアロマコードが示す複数の香り成分を、順次、対応して設定されている前記噴射時間だけ噴射させるように、前記複数の風力源を制御する、請求項１記載の香り時計。
【請求項３】
複数のカートリッジ装着場所の各々へ香源を含むカートリッジを装着し、前記複数のカートリッジ装着場所に個別的に対応して設けられた複数の風力源を備え、前記風力源によってその風力源に対応するカートリッジ内の香源から香り成分を噴射させることによって香りを出力する嗅覚ディスプレイを用い、さらに噴射パターンテーブルを記憶する第１記憶手段を備え、前記噴射パターンテーブルは、少なくとも１つの噴射ＩＤを有し、前記噴射ＩＤに対応して、少なくとも前記香り成分を示すアロマコードおよび前記アロマコードが示す前記香り成分を噴射する時間を示す噴射時間を設定し、さらに少なくとも設定時刻と噴射ＩＤを設定している噴射タスクテーブルを記憶する第２記憶手段を備える香り時計のコンピュータによって実行される香り時計プログラムであって、前記コンピュータを、
現在時刻が前記噴射タスクテーブルの設定時刻と一致するかどうか判断する判断手段、および
前記判断手段が現在時刻が前記噴射タスクテーブルの設定時刻と一致したと判断したとき、前記噴射タスクテーブルの前記噴射ＩＤに基づいて、前記噴射パターンテーブルにおいて該当する噴射ＩＤが示すアロマコードが示す香り成分を、前記噴射時間だけ噴射させるように、前記風力源を制御する制御手段として機能させる、香り時計プログラム。